(57)【特許請求の範囲】
【請求項１】
ハンドル部の一端部に導電材からなるヘッド部を設け、このヘッド部に外側から雌ネジを複数刻設し、頭部の近くで軸部を切断した綿棒の前記頭部を切断側を先端方向として外側から前記雌ネジに回転挿入させて前記頭部の切断側の綿が前記雌ネジのネジ形状に成形されるようにして前記頭部を前記ヘッド部に外側に向けて植設し得るようになし、前記ヘッド部の内側に振動手段を固定し、前記ヘッド部に低周波発生手段を電気的接続し、前記ヘッド部を振動させると同時に前記ヘッド部に低周波パルスの電気信号を印加するように構成したことを特徴とするマッサージ器。
【請求項２】
ハンドル部の一端部に導電材からなるヘッド部を設け、このヘッド部をヘッド本体とその外側に螺合により着脱自在なヘッドキャップで形成し、このヘッドキャップを交換し得るように２つ備え、一方に外側に向けて導電材からなるピンを複数本突設し、他方に外側から雌ネジを複数刻設して、頭部の近くで軸部を切断した綿棒の前記頭部を切断側を先端方向として外側から前記雌ネジに回転挿入させて前記頭部の切断側の綿が前記雌ネジのネジ形状に成形されるようにして前記頭部を前記ヘッドキャップに外側に向けて植設し得るようになし、前記ヘッド本体の内側に振動手段を固定し、前記ヘッド本体に低周波発生手段を電気的接続し、前記ヘッド本体を振動させると同時に前記ヘッド本体に低周波パルスの電気信号を印加するように構成したことを特徴とするマッサージ器。
【請求項３】
請求項１または２記載のマッサージ器において、前記ハンドル部を細長い形状とし、前記振動手段をその振動方向が前記ハンドル部の長手方向と略直交する向きとなるように前記ヘッド部に固定して構成したことを特徴とするマッサージ器。
【請求項４】
請求項３記載のマッサージ器において、前記振動手段が回転軸に偏心して重りを設けたモータであり、前記回転軸が前記ハンドル部の長手方向と略平行な向きとなるように前記モータを前記ヘッド部に固定して構成したことを特徴とするマッサージ器。
【請求項５】
請求項１または２記載のマッサージ器において、前記ハンドル部を細長い形状とするとともに中空構造として軽量化し、このハンドル部に対して前記ヘッド部を相対的に重くするように構成したことを特徴とするマッサージ器。
【請求項６】
請求項１または２記載のマッサージ器において、前記ハンドル部の中間部に前記ヘッド部と電気的絶縁状態で導電材からなるハンドグリップを配設し、このハンドグリップを前記低周波発生手段の一方の電極とし、前記ヘッド部を前記低周波発生手段の他方の電極として構成したことを特徴とするマッサージ器。
【発明の詳細な説明】
【０００１】
【発明の属する技術分野】
本発明は、肌に適度な刺激を与えてこれを活性化させるマッサージ器に関するものである。
【０００２】
【従来の技術】
従来より、血行障害を改善して肌や筋肉の活性化を図るために、肌に振動を与えるだけのマッサージ器が広く使用されている。また、筋肉痛などに対して低周波パルスの電気信号を肌に印加して、肌および筋肉を活性化して自然治癒力を高める機器が知られている。
【０００３】
【発明が解決しようとする課題】
従来の振動を加えるマッサージ器にあっては、筋肉の内部まで振動が到達しにくく、必ずしも充分な効果が得られていない。また、低周波パルスの電気信号を印加するものにあっては、電気信号を印加させる部分に「ピリピリ」とした感覚と痛みを伴う不快感を感じさせ易く、使用に際して不安感を生じさせる傾向にあった。特に、顔などの敏感な部分への使用には、多くの人が強い抵抗感を感じる傾向にある。
【０００４】
本発明は、上述のごとき従来技術のマッサージ器の事情に鑑みてなされたもので、肌に綿棒を当接させて振動と低周波パルスの電気信号の印加を同時に行うことにより、電気信号による不快な感覚が生じにくくするとともに、肌に優しく安心して使用できるマッサージ器を提供することを目的とする。
【０００５】
【課題を解決するための手段】
かかる目的を達成するために、本発明のマッサージ器は、ハンドル部の一端部に導電材からなるヘッド部を設け、このヘッド部に外側から雌ネジを複数刻設し、頭部の近くで軸部を切断した綿棒の前記頭部を切断側を先端方向として外側から前記雌ネジに回転挿入させて前記頭部の切断側の綿が前記雌ネジのネジ形状に成形されるようにして前記頭部を前記ヘッド部に外側に向けて植設し得るようになし、前記ヘッド部の内側に振動手段を固定し、前記ヘッド部に低周波発生手段を電気的接続し、前記ヘッド部を振動させると同時に前記ヘッド部に低周波パルスの電気信号を印加するように構成されている。
【０００６】
そして、ハンドル部の一端部に導電材からなるヘッド部を設け、このヘッド部をヘッド本体とその外側に螺合により着脱自在なヘッドキャップで形成し、このヘッドキャップを交換し得るように２つ備え、一方に外側に向けて導電材からなるピンを複数本突設し、他方に外側から雌ネジを複数刻設して、頭部の近くで軸部を切断した綿棒の前記頭部を切断側を先端方向として外側から前記雌ネジに回転挿入させて前記頭部の切断側の綿が前記雌ネジのネジ形状に成形されるようにして前記頭部を前記ヘッドキャップに外側に向けて植設し得るようになし、前記ヘッド本体の内側に振動手段を固定し、前記ヘッド本体に低周波発生手段を電気的接続し、前記ヘッド本体を振動させると同時に前記ヘッド本体に低周波パルスの電気信号を印加するように構成しても良い。
【０００７】
【発明の実施の形態】
以下、本発明の実施例を図１ないし図７を参照して説明する。図１（ａ）は、本発明のマッサージ器の一実施例の分解斜視図の一部であり、図１（ｂ）は、本発明のマッサージ器の一実施例の分解斜視図の残部である。図２は、本発明のマッサージ器の平面図である。図３は、図２のＡ−Ａ矢視断面図である。図４は、本発明のマッサージ器の機能ブロック図である。図５は、図１に示すヘッドキャップと交換でき、綿棒を植設し得る別のヘッドキャップを示し、（ａ）は平面図であり、（ｂ）は（ａ）のＢ−Ｂ矢視断面図である。図６は、図５に示すヘッドキャップに植設し得るように綿棒の頭部を切断することを説明する図である。図７は、綿棒を図６のごとく切断した頭部を図５に示すヘッドキャップに装着した状態を示す図である。なお、図１（ａ）の部材１６、１８、２０、２４、２６および２２の下部が、図１（ｂ）の部材１０の凹部内に組み付けられる。
【０００８】
まず、図１ないし図３に示す本発明のマッサージ器の構造につき説明する。ハンドル部は、一対の断面コ字状の導電材からなるハンドグリップ１４、１４の両端部に絶縁材からなるヘッドホルダー１０とグリップエンド１２が狭持固定されて形成される。このハンドル部の中間部に設けられた一対のハンドグリップ１４、１４により、その内部が中空とされて軽量化され、しかも人が握って好適な太さの細長がい形状とされる。そして、ハンドル部の一端部であるヘッドホルダー１０に設けられた凹部には、クッション１６、１８およびモータホルダー２０を介して導電材からなるヘッド本体２２が固定される。このヘッド本体２２には、大きな凹部が形成されていてヘッドホルダー１０とヘッド本体２２で仕切られた空間部が形成され、この空間部に収納されて振動手段としてのモータ２４がモータホルダー２０を介してヘッド本体２２に固定される。このモータ２４の回転軸には、偏心して重り２６が設けられ、しかも回転軸が一対のハンドグリップ１４、１４の長手方向と略平行な向きとなるように配設される。
【０００９】
さらに、ヘッド本体２２には、外側にネジ２２ａが刻設され、このネジ２２ａに導電材からなるヘッドキャップ２８が螺合により着脱自在に固定される。このヘッドキャップ２８には、導電材からなる複数本のピン３０、３０…が、外側に向けて突設される。なお、３２はピン３０、３０…を抑えるピンホルダーである。そして、ヘッド本体２２とヘッドキャップ２８とピン３０、３０…およびピンホルダー３２により、ヘッド部が形成されている。
【００１０】
また、一端がプラグ３６により制御部３４に接続分離自在なケーブル３８の他端が、グリップエンド１２に挿通され、モータ２４とヘッド本体２２およびハンドグリップ１４、１４に適宜に電気的接続がなされる。モータ２４への電気的接続は、このモータ２４を回転駆動させるためであり、ハンドグリップ１４、１４とヘッド本体２２への電気的接続は、ハンドグリップ１４、１４とヘッド本体２２の間に低周波パルスの電気信号を印加するためである。そして、制御部３４には、商用交流電源に接続するためのプラグ付きコード４０と、電源スイッチ４２と、低周波パルスの電気信号の大きさを調整操作するための電気信号調整ノブ４４と、電気信号の極性を切り換えるための極性切換スイッチ４６と、モータ２４の回転数を制御して振動の強さを調整操作するための振動調整ノブ４８と、タイマーによる運転時間を設定操作するための運転時間調整ノブ５０および運転時間の残存時間を表示するための表示器５２とが設けられている。なお、５４はケーブル３８のプラグ３６が接続される端子であり、５６はハンドグリップ１４、１４以外を低周波パルスの電気信号の一方の電極とする場合に用いる端子である。
【００１１】
次に、図４を参照して、本発明の機能につき説明する。制御部３４には、上述のごとく、パネル上に電源スイッチ４２と、極性切換スイッチ４６と、電気信号調整ノブ４４と、振動調整ノブ４８と、運転時間調整ノブ５０および表示器５２が設けられる。そして、その内部には、電源回路５８と、タイマー回路６０と、表示器５２を駆動する表示駆動回路６２と、振動調整ノブ４８に連結された振動調整回路６４と、低周波パルスを発生させる低周波発生手段６６と、電気信号調整ノブ４４に連結した低周波調整回路６８と、が設けられている。そして、電源スイッチ４２が投入されると、モータ２４と低周波発生手段６６に電源回路５８から駆動電圧が印加され、ヘッド部に振動と低周波パルスの電気信号が印加される。なお、電気信号調整ノブ４４と振動調整ノブ４８の操作により振動と低周波パルスの電気信号の大きさが調整されることは勿論である。また、タイマー回路６０は、電源スイッチ４２の投入により計時動作を開始し、設定運転時間の残りの運転時間を表示駆動回路６２を介して表示器５２で表示させる。さらに、タイマー回路６０は設定運転時間が経過すると、電源スイッチ４２を遮断して振動と低周波パルスの電気信号の印加を停止させる。
【００１２】
また、図５ないし図７を参照して、図１に示すヘッドキャップ２８と交換してヘッド本体２２に装着し得る別のヘッドキャップ７０の構造につき説明する。このヘッドキャップ７０は、ヘッドキャップ２８と同様に導電材からなるとともにヘッド本体２２のネジ２２ａに螺合でき、しかも外側から雌ネジ７０ａ、７０ａ…が複数刻設される。これらの雌ネジ７０ａ、７０ａ…の径は、一般に市販されている綿棒７２の軸部７２ａと同じまたは僅かに太く設定される。そこで、図６に示すごとく、綿棒７２の軸部７２ａを頭部７２ｂの近くで切断し、図７に示すごとく、切断側を先端方向としてヘッドキャップ７０の雌ネジ７０ａに外側から挿入しならびに回転させる。この挿入および回転により、綿棒７２の頭部７２ｂの切断側の綿が雌ネジ７０ａのネジ形状に成形され、あたかもボトルのごとく螺合状態となって、少なくとも引き抜き方向へは簡単には移動しない状態となる。そして、綿棒７２、７２…の頭部７２ｂ、７２ｂ…を水に浸すなどして適宜に水を含ませ、この水により導電性を得て低周波パルスの電気信号が伝達するようになす。なお、綿棒７２、７２…の頭部７２ｂ、７２ｂ…は、使用時に水を含んでいて導電性を有する状態であれば良い。
【００１３】
かかる構成において、好みにより一方のヘッドキャップ２８または７０を選択してヘッド本体２２に螺合装着し、ハンドグリップ１４、１４を片手で握り、ピン３０、３０…または植設した綿棒７２、７２…を、刺激を与えようとする肌に当接して電源スイッチ４２を投入すると、当接された肌に振動とともに低周波パルスの電気信号が与えられる。ここで、低周波パルスの電気信号とともに振動が与えられることにより、低周波パルスの電気信号による「ピリピリ」とした感覚が、振動による刺激によりあたかも軽減されたようになり、もって不快感を感じることが少なく、女性であっても安心して使用することができる。さらに、導電材からなるピン３０、３０…を顔などの敏感な箇所に当接することに抵抗を感じる場合には、ヘッドキャップ７０を選択して綿棒７２、７２…の頭部７２ｂ、７２ｂ…を肌に当接させれば良い。綿棒７２、７２…は、ピン３０、３０…と同様に振動と低周波パルスの電気信号を肌に印加することができるにも係わらず、心理的に優しい機器と感じられ、特に女性に使用に対する安心感を与えることができる。
【００１４】
また、振動手段としてのモータ２４は回転軸がハンドグリップ１４、１４の長手方向と略平行に配設されているので、ハンドグリップ１４、１４に対してその一端部が振り回されるような動きとなり、ハンドグリップ１４、１４の握られた箇所をあたかも支点として先端が振り回されるような運動となり、握り手に加わる振動が少ない。これは、モータ２４をその回転軸をハンドグリップ１４、１４の長手方向と直交して配設した場合に比べて著しい相違が認められる。さらに、ハンドル部は、ハンドグリップ１４、１４によりその中間部が中空で軽量化され、このハンドル部に対してヘッド部が相対的に重くなるように構成されるので、モータ２４が配設される箇所に本機器の重量が集中しており、質量が大きい分だけ、ピン３０、３０…または植設された綿棒７２、７２…に加わる振動が力強いものとなる。
【００１５】
しかも、低周波パルスの電気信号に対して、ハンドグリップ１４、１４が一方の電極とされ、ピン３０、３０…または綿棒７２、７２…が他方の電極とされるので、ハンドグリップ１４、１４を握って、ピン３０、３０…または綿棒７２、７２…を肌に当接させるだけで電気信号が流れる閉回路が形成され、使用が容易である。なお、他人の肌にピン３０、３０…などを当接させる場合には、被マッサージ者の腕などに電極を巻回しこれを制御部３４の端子５６に電気的接続させれば良い。
【００１６】
なお、上記実施例では振動手段として、偏心した重り２６を有するモータ２４で構成した円運動を行うものであるが、これに限られるものでなく、往復運動を行うものなどいかなる構造の振動手段が用いられても良い。そして、その振動手段を、振動方向（円運動であればその回転軌跡の面の方向、往復運動であればその移動方向）がハンドグリップ１４、１４の長手方向と略直交する方向に配設すれば、ハンドグリップ１４、１４への振動を少なくすることができる。さらに、ハンドル部は、全体を絶縁樹脂で形成し、ハンドグリップ１４、１４に相当する部分の外側表面に導電材からなる電極層をメッキなどで設けて電極としても良い。そしてさらに、突設させるピン３０、３０…の本数や植設できる頭部７２ｂ、７２ｂ…の本数は適宜な複数本であれば良い。
【００１７】
【発明の効果】
以上説明したように、本発明のマッサージ器は構成されているので、以下のごとき格別な効果を奏する。
【００１８】
請求項１記載のマッサージ器にあっては、振動と低周波パルスの電気信号を同時に肌に与えるので、電気信号による不快感が振動による刺激により軽減される。そして、振動と低周波パルスの電気信号の相乗効果により、著しいマッサージ効果が得られる。さらに、肌に綿棒を当接させて振動および低周波パルスの電気信号を与えるので、肌に優しく、使用に際して安心感が得られ、顔などの敏感な箇所のマッサージに好適である。しかも、ヘッド部に複数刻設された雌ネジに、頭部の近くで軸部を切断した綿棒の頭部を切断側を先端方向として回転挿入させて、頭部の切断側の綿が雌ネジのネジ形状に成形されてあたかも螺合状態のごとくにして頭部をヘッド部に外側に向けて植設するので、振動に対しても雌ネジから綿棒の頭部が抜ける出るようなことがなく、電気的導通が維持され、頭部に確実にヘッド部から低周波パルスの電気信号が伝達され得る。
【００１９】
そして、請求項２記載のマッサージ器にあっては、導電材からなるピンが突設されたヘッドキャップと、綿棒の頭部を植設し得るヘッドキャップとを交換することができるので、マッサージする箇所や操作者の好みに応じて、いずれかを適宜に選択することができる。
【００２０】
また、請求項３または４記載のマッサージ器にあっては、振動手段により、ハンドル部の握られた箇所を支点として長手方向の一端部が大きく振動することとなり、ハンドル部を握る手に伝達される振動が少ないものとなる。
【００２１】
さらに、請求項５記載のマッサージ器にあっては、ハンドル部を中空として軽量化し、ヘッド部が相対的に重くなるようにしたので、振動手段の振動がピンや綿棒に効果的に伝達される。そこで、肌に加わる振動が強く、マッサージ効果が大きなものとなる。
【００２２】
そしてまた、請求項６記載のマッサージ器にあっては、ハンドグリップを低周波パルスの電気信号の一方の電極としたので、このハンドグリップを握って綿棒またはピンを肌に当接させれば、電気信号を伝達するための閉回路が簡単に形成され、機器の使用が容易である。
【図面の簡単な説明】
【図１】（ａ）
本発明のマッサージ器の一実施例の分解斜視図の一部である。
【図１】（ｂ）
本発明のマッサージ器の一実施例の分解斜視図の残部である。
【図２】  本発明のマッサージ器の平面図である。
【図３】  図２のＡ−Ａ矢視断面図である。
【図４】  本発明のマッサージ器の機能ブロック図である。
【図５】  図１に示すヘッドキャップと交換でき、綿棒を植設し得る別のヘッドキャップを示し、（ａ）は平面図であり、（ｂ）は（ａ）のＢ−Ｂ矢視断面図である。
【図６】  図５に示すヘッドキャップへ植設し得るように綿棒の頭部を切断することを説明する図である。
【図７】  綿棒を図６のごとく切断した頭部を図５に示すヘッドキャップに装着した状態を示す図である。
【符号の説明】
１０ ヘッドホルダー
１２  グリップエンド
１４  ハンドグリップ
２０  モータホルダー
２２  ヘッド本体
２２ａ  ネジ
２４  モータ
２６  重り
２８、７０  ヘッドキャップ
３０  ピン
３４  制御部
７０ａ  雌ネジ
７２  綿棒
７２ａ  軸部
７２ｂ  頭部
【図２】
0003744662.tif 000002
【図３】
0003744662.tif 000003
【図４】
0003744662.tif 000004
【図５】
0003744662.tif 000005
【図６】
0003744662.tif 000006
【図７】
0003744662.tif 000007
【図１】
0003744662.tif 000008
【図１】
0003744662.tif 000009